(57)【要約】【課題】ハウジングに対する装着作業が比較的容易で、しかも装着時にシール部品２の内外周に変形（しわ寄せ）が生じることがなく、もって優れたシール性能を発揮することが可能な密封装置１を提供する。【解決手段】ハウジングの内周側に取り付けられる環状の外周取付部３と外周取付部３の内周側に配置されて軸等の相手部品と密封摺動するシールリップ４とを一体に備えたゴム状弾性体製のシール部品２と、シール部品２をハウジングに固定するための固定リング６とを有する。このうち固定リング６は、金属または樹脂等よりなる剛性リングの円周上一箇所に切欠部を設けて径方向のばね性を有し、シール部品２と別体で外周取付部３の内周側に嵌着され、そのばね性によりシール部品２をハウジングに固定するものとされている。【選択図】  図１
2004232689.tif 000002
【特許請求の範囲】
【請求項１】
ハウジングの内周側に取り付けられる環状の外周取付部（３）と前記外周取付部（３）の内周側に配置されて軸等の相手部品と密封摺動するシールリップ（４）とを一体に備えたゴム状弾性体製のシール部品（２）と、前記シール部品（２）を前記ハウジングに固定するための固定リング（６）とを有し、
前記固定リング（６）は、金属または樹脂等よりなる剛性リングの円周上一箇所に切欠部（７）を設けて径方向のばね性を有し、前記シール部品（２）と別体で前記外周取付部（３）の内周側に嵌着され、そのばね性により前記シール部品（２）を前記ハウジングに固定することを特徴とする密封装置。
【請求項２】
ハウジングの内周側に取り付けられる環状の外周取付部（３）と前記外周取付部（３）の内周側に配置されて軸等の相手部品と密封摺動するシールリップ（４）とを一体に備えたゴム状弾性体製のシール部品（２）と、前記シール部品（２）を前記ハウジングに固定するための固定リング（６）とを有し、
前記固定リング（６）は、環状のピッチ巻きコイルスプリングよりなり径方向のばね性を有し、前記シール部品（２）と別体で前記外周取付部（３）の内周側に嵌着され、そのばね性により前記シール部品（２）を前記ハウジングに固定することを特徴とする密封装置。
【請求項３】
ハウジングの内周側に取り付けられる環状の外周取付部（３）と前記外周取付部（３）の内周側に配置されて軸等の相手部品と密封摺動するシールリップ（４）とを一体に備えたゴム状弾性体製のシール部品（２）と、前記シール部品（２）を前記ハウジングに固定するための固定リング（６）とを有し、
前記固定リング（６）は、環状のピッチ巻きコイルスプリングよりなり径方向のばね性を有し、前記外周取付部（３）に埋設され、そのばね性により前記シール部品（２）を前記ハウジングに固定することを特徴とする密封装置。
【発明の詳細な説明】
【０００１】
【発明の属する技術分野】
本発明は、密封装置に係り、更に詳しくは、外周取付部とシールリップとを一体に備えたゴム状弾性体製のシール部品と、固定リングとを有する密封装置に関するものである。本発明の密封装置は例えば、鉄鋼圧延機におけるシール部に用いられる。
【０００２】
【従来の技術】
従来から、図５に示すように、ハウジング６１の内周側に取り付けられる環状の外周取付部５３とこの外周取付部５３の内周側に配置されて軸等の相手部品６２と密封摺動するシールリップ５４とを一体に備えたゴム状弾性体製のシール部品５２を有し、このシール部品５２を、外周取付部５３の外周部に予め加硫接着した筒状の金属製取付環５５の嵌合代によってハウジング６１に固定するようにした密封装置５１が知られている。図６に示すように金属製取付環５５は、外周取付部５３の肉厚内に埋設される場合もある。
【０００３】
しかしながら、これらの従来技術では、上記したように外周取付部５３の外周部または肉厚内に予め加硫接着した筒状の金属製取付環５５の嵌合代によってシール部品５２をハウジング６１に固定する構造であるために、ハウジング６１に対する当該密封装置５１の装着作業を強い衝撃荷重を与えながら行なわなければならず、よってその作業に多くの労力を要する不都合がある。また作業に際してハンマー等の工具を使用することから、その衝撃により金属製取付環５５やシール部品５２に傷や塑性変形を生じてしまうこともある。
【０００４】
また、図７に示すように、他の従来技術として、ハウジング（図示せず）の内周側に取り付けられる環状の外周取付部５３とこの外周取付部５３の内周側に配置されて軸等の相手部品（図示せず）と密封摺動するシールリップ５４とを一体に備えたゴム状弾性体製のシール部品５２を有し、このシール部品５２を、外周取付部５３の内周部に予め加硫接着した筒状の金属製取付環５５のばね性によってハウジング６１に固定するようにした密封装置５１が知られている。この図７の従来技術が上記図５または図６の従来技術と異なるのは、金属製取付環５５の円周上一箇所に切欠部（図示せず）が設けられて、この金属製取付環５５に径方向のばね性が設定されている点であり、よってこの従来技術によれば、金属製取付環５５の径寸法をそのばね性により変化させることができるために、装着作業を容易化することができる。
【０００５】
しかしながら、この図７の従来技術によると、ゴム状弾性体製のシール部品５２に円周上一箇所に切欠部を設けた金属製取付環５５が予め加硫接着されているために、装着時、シール部品５２および金属製取付環５５が共に収縮すると、シール部品５２のゴムが円周上一箇所すなわち金属製取付環５５の切欠部位置で局部的に圧縮される。したがってシール部品５２の内外周に変形（しわ寄せ）が生じ、これにより軸またはハウジングとの間に隙間が生じるため、これがシール性能に良くない影響を及ぼす虞がある。
【０００６】
尚、下記特許文献１には、シール部品をハウジングに固定するための拡張発条輪を有する密封装置が記載されているが、この拡張発条輪は円周上に切欠部を有しておらず、また環状のピッチ巻きコイルスプリングよりなるものではない。
【０００７】
【特許文献１】
実公昭３６−８３０８号公報
【０００８】
【発明が解決しようとする課題】
本発明は以上の点に鑑みて、ハウジングに対する装着作業が比較的容易で、しかも装着時にシール部品の内外周に変形（しわ寄せ）が生じることがなく、もって優れたシール性能を発揮することが可能な密封装置を提供することを目的とする。
【０００９】
【課題を解決するための手段】
上記目的を達成するため、本発明の請求項１による密封装置は、ハウジングの内周側に取り付けられる環状の外周取付部と前記外周取付部の内周側に配置されて軸等の相手部品と密封摺動するシールリップとを一体に備えたゴム状弾性体製のシール部品と、前記シール部品を前記ハウジングに固定するための固定リングとを有し、前記固定リングは、金属または樹脂等よりなる剛性リングの円周上一箇所に切欠部を設けて径方向のばね性を有し、前記シール部品と別体で前記外周取付部の内周側に嵌着され、そのばね性により前記シール部品を前記ハウジングに固定することを特徴とするものである。
【００１０】
また、本発明の請求項２による密封装置は、ハウジングの内周側に取り付けられる環状の外周取付部と前記外周取付部の内周側に配置されて軸等の相手部品と密封摺動するシールリップとを一体に備えたゴム状弾性体製のシール部品と、前記シール部品を前記ハウジングに固定するための固定リングとを有し、前記固定リングは、環状のピッチ巻きコイルスプリングよりなり径方向のばね性を有し、前記シール部品と別体で前記外周取付部の内周側に嵌着され、そのばね性により前記シール部品を前記ハウジングに固定することを特徴とするものである。
【００１１】
また、本発明の請求項３による密封装置は、ハウジングの内周側に取り付けられる環状の外周取付部と前記外周取付部の内周側に配置されて軸等の相手部品と密封摺動するシールリップとを一体に備えたゴム状弾性体製のシール部品と、前記シール部品を前記ハウジングに固定するための固定リングとを有し、前記固定リングは、環状のピッチ巻きコイルスプリングよりなり径方向のばね性を有し、前記外周取付部に埋設され、そのばね性により前記シール部品を前記ハウジングに固定することを特徴とするものである。
【００１２】
上記構成を備えた本発明の請求項１による密封装置においては、シール部品をハウジングに固定するための固定リングが、金属または樹脂等よりなる剛性リングの円周上一箇所に切欠部を設けて径方向のばね性を有し、シール部品と別体で外周取付部の内周側に嵌着され、そのばね性によりシール部品をハウジングに固定するものとされているために、先ずは装着作業時に固定リングの径寸法をそのばね性により変化させることが可能である。また、固定リングがシール部品と別体とされているために、装着時、固定リングおよびシール部品が共に収縮すると互いの接触面で滑りを生じ、よってシール部品のゴムが円周上一箇所で変形（しわ寄せ）するのを抑えることが可能となる。
【００１３】
また、上記構成を備えた本発明の請求項２による密封装置においては、シール部品をハウジングに固定するための固定リングが、環状のピッチ巻きコイルスプリングよりなり径方向のばね性を有し、シール部品と別体で外周取付部の内周側に嵌着され、そのばね性によりシール部品をハウジングに固定するものとされているために、やはり先ずは装着作業時に固定リングの径寸法をそのばね性により変化させることが可能である。また、固定リングがシール部品と別体とされるとともに円周上に切欠部を有しないものとされているために、装着時、固定リングおよびシール部品が共に収縮しても、シール部品のゴムが円周上一箇所で変形（しわ寄せ）するのを抑えることが可能となる。
【００１４】
また、上記構成を備えた本発明の請求項３による密封装置においては、シール部品をハウジングに固定するための固定リングが、環状のピッチ巻きコイルスプリングよりなり径方向のばね性を有し、外周取付部に埋設され、そのばね性によりシール部品をハウジングに固定するものとされているために、先ずは装着作業時に固定リングの径寸法をそのばね性により変化させることが可能である。また固定リングがシール部品の外周取付部に埋設されるものであって円周上に切欠部を有しないものとされているために、装着時、固定リングおよびシール部品が共に収縮しても、シール部品のゴムが円周上一箇所で変形（しわ寄せ）するのを抑えることが可能となる。
【００１５】
【発明の実施の形態】
つぎに本発明の実施例を図面にしたがって説明する。
【００１６】
第一実施例・・・
図１は、本発明の第一実施例に係る密封装置１の要部断面を示しており、この密封装置１は以下のように構成されている。
【００１７】
すなわち、この密封装置１は先ず、ゴム状弾性体製のシール部品２を有しており、このシール部品２に、ハウジング（図示せず）の内周側に取り付けられる環状の外周取付部３と、この外周取付部３の内周側に配置されて軸等の相手部品（図示せず）と密封摺動するシールリップ４とが一体成形されている。
【００１８】
また、シールリップ４の外周に位置して外周取付部３の内周面には環状の装着溝５が形成されており、この装着溝５に、シール部品２をハウジングに固定するための固定リング６が別体部品として非接着で嵌着されている。
【００１９】
この固定リング６は、図２に示すように、金属または樹脂等よりなる剛性リングの円周上一箇所に切欠部７を設けることにより径方向のばね性を有するものであって、装着溝５に嵌着されることによりそのばね性によってシール部品２をハウジングに固定する。この固定リング６の断面形状は、丸形、正方形または長方形等とされている（図では丸形）。
【００２０】
また、外周取付部３には、内周面に装着溝５を有するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体に成形されている。
【００２１】
上記構成の密封装置１によれば、上記したように固定リング６が、金属または樹脂等よりなる剛性リングの円周上一箇所に切欠部７を設けることにより径方向のばね性を有し、シール部品２と別体で外周取付部３の内周側に嵌着され、そのばね性によりシール部品２をハウジングに固定するものとされているために、装着作業時に固定リング６の径寸法をそのばね性により変化させることが可能である。したがって、上記図５または図６の従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００２２】
また、固定リング６がシール部品２と別体部品とされて装着溝５に非接着で嵌着されているために、装着時、固定リング６およびシール部品２を共に収縮させると、両者２，６は互いの接触面で摺動し、相対変位することが可能である。したがって、上記図７の従来技術のようにシール部品２のゴムが円周上一箇所で変形（しわ寄せ）するのを抑えることができるために、シールリップ４と軸との間または外周取付部３とハウジングとの間に隙間が生じるのを未然に防止することができ、これによりシール性能を向上させることができる。
【００２３】
またこれに加えて、上記構成の密封装置１によると、上記したように外周取付部３に、内周面に装着溝５を有するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体成形されているために、このシールリップ外周部８と外周シール部９とが作用を分担する。すなわち前者のシールリップ外周部８は装着してもあまり径寸法が変わらないために、シールリップ４を形状変化（姿勢変化）させず、よって内周シール性能を安定化させることができる。また、後者の外周シール部９はその寸法設定からして装着時にハウジングに密接するために、外周シール性能を充分に確保することができる。したがってこれらのことから、嵌合力を低減させて装着を容易化するとともに、その一方で内周シール性および外周シール性を共に充分に確保することができる密封装置１を提供することができる。
【００２４】
第二実施例・・・
図３は、本発明の第二実施例に係る密封装置１の要部断面を示しており、この密封装置１は以下のように構成されている。
【００２５】
すなわち、この密封装置１は先ず、ゴム状弾性体製のシール部品２を有しており、このシール部品２に、ハウジング（図示せず）の内周側に取り付けられる環状の外周取付部３と、この外周取付部３の内周側に配置されて軸等の相手部品（図示せず）と密封摺動するシールリップ４とが一体成形されている。
【００２６】
また、シールリップ４の外周に位置して外周取付部３の内周面には環状の装着溝５が形成されており、この装着溝５に、シール部品２をハウジングに固定するための固定リング６が別体部品として非接着で嵌着されている。
【００２７】
この固定リング６は、環状のピッチ巻きコイルスプリングよりなり径方向のばね性を有するものであって、装着溝５に嵌着されることによりそのばね性によってシール部品２をハウジングに固定する。このピッチ巻きコイルスプリングよりなる固定リング６には、上記第一実施例の場合のような切欠部７は設けられていない。
【００２８】
また、外周取付部３には、内周面に装着溝５を有するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体に成形されている。
【００２９】
上記構成の密封装置１によれば、上記したように固定リング６が、環状のピッチ巻きコイルスプリングよりなり径方向のばね性を有し、シール部品２と別体で外周取付部３の内周側に嵌着され、そのばね性によりシール部品２をハウジングに固定するものとされているために、装着作業時に固定リング６の径寸法をそのばね性により変化させることが可能である。したがって、上記図５または図６の従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００３０】
また、固定リング６がシール部品２と別体部品とされて装着溝５に非接着で嵌着されるとともに円周上一箇所に切欠部を有しないものとされているために、装着時、固定リング６およびシール部品２を共に収縮させても、シール部品２のゴムは円周上一箇所で変形（しわ寄せ）することがない。したがって、上記図７の従来技術のようにシール部品２のゴムが円周上一箇所で変形（しわ寄せ）するのを抑えることができるために、シールリップ４と軸との間または外周取付部３とハウジングとの間に隙間が生じるのを未然に防止することができ、これによりシール性能を向上させることができる。
【００３１】
またこれに加えて、上記構成の密封装置１によると、上記したように外周取付部３に、内周面に装着溝５を有するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体成形されているために、このシールリップ外周部８と外周シール部９とが作用を分担する。すなわち前者のシールリップ外周部８は装着してもあまり径寸法が変わらないために、シールリップ４を形状変化（姿勢変化）させず、よって内周シール性能を安定化させることができる。また、後者の外周シール部９はその寸法設定からして装着時にハウジングに密接するために、外周シール性能を充分に確保することができる。したがってこれらのことから、嵌合力を低減させて装着を容易化するとともに、その一方で内周シール性および外周シール性を共に充分に確保することができる密封装置１を提供することができる。
【００３２】
第三実施例・・・
図４は、本発明の第三実施例に係る密封装置１の要部断面を示しており、この密封装置１は以下のように構成されている。
【００３３】
すなわち、この密封装置１は先ず、ゴム状弾性体製のシール部品２を有しており、このシール部品２に、ハウジング（図示せず）の内周側に取り付けられる環状の外周取付部３と、この外周取付部３の内周側に配置されて軸等の相手部品（図示せず）と密封摺動するシールリップ４とが一体成形されている。
【００３４】
また、シールリップ４の外周に位置して外周取付部３の肉厚内には、シール部品２をハウジングに固定するための固定リング６が一体的に加硫接着され、埋設されている。
【００３５】
この固定リング６は、環状のピッチ巻きコイルスプリングよりなり径方向のばね性を有するものであって、外周取付部３の肉厚内に埋設されることによりそのばね性によってシール部品２をハウジングに固定する。このピッチ巻きコイルスプリングよりなる固定リング６には、上記第一実施例の場合のような切欠部７は設けられていない。
【００３６】
また、外周取付部３には、肉厚内に固定リング６を埋設するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体に成形されている。
【００３７】
上記構成の密封装置１によれば、上記したように固定リング６が、環状のピッチ巻きコイルスプリングよりなり径方向のばね性を有し、シール部品２における外周取付部３の肉厚内に埋設され、そのばね性によりシール部品２をハウジングに固定するものとされているために、装着作業時に固定リング６の径寸法をそのばね性により変化させることが可能である。したがって、上記図５または図６の従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００３８】
また、固定リング６がシール部品２における外周取付部３の肉厚内に埋設されるものであって円周上一箇所に切欠部を有しないものとされているために、装着時、固定リング６およびシール部品２を共に収縮させても、シール部品２のゴムは円周上一箇所で変形（しわ寄せ）することがない。したがって、上記図７の従来技術のようにシール部品２のゴムが円周上一箇所で変形（しわ寄せ）するのを抑えることができるために、シールリップ４と軸との間または外周取付部３とハウジングとの間に隙間が生じるのを未然に防止することができ、これによりシール性能を向上させることができる。
【００３９】
またこれに加えて、上記構成の密封装置１によると、上記したように外周取付部３に、内周面に装着溝５を有するとともに外径寸法ｄ１をハウジングの内径寸法とほぼ同等に形成したシールリップ外周部８と、全体にリップ形状をなすとともにリップ外径寸法ｄ２をハウジングの内径寸法よりも大きく形成した外周シール部９とが軸方向に並んで一体成形されているために、このシールリップ外周部８と外周シール部９とが作用を分担する。すなわち前者のシールリップ外周部８は装着してもあまり径寸法が変わらないために、シールリップ４を形状変化（姿勢変化）させず、よって内周シール性能を安定化させることができる。また、後者の外周シール部９はその寸法設定からして装着時にハウジングに密接するために、外周シール性能を充分に確保することができる。したがってこれらのことから、嵌合力を低減させて装着を容易化するとともに、その一方で内周シール性および外周シール性を共に充分に確保することができる密封装置１を提供することができる。
【００４０】
【発明の効果】
本発明は、以下の効果を奏する。
【００４１】
すなわち、上記構成を備えた本発明の請求項１による密封装置においては、シール部品をハウジングに固定するための固定リングが、金属または樹脂等よりなる剛性リングの円周上一箇所に切欠部を設けて径方向のばね性を有し、シール部品と別体で外周取付部の内周側に嵌着され、そのばね性によりシール部品をハウジングに固定するものとされているために、装着作業時に固定リングの径寸法をそのばね性により変化させることが可能とされている。したがって、上記従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００４２】
また、固定リングがシール部品と別体とされているために、装着時、固定リングおよびシール部品が共に収縮せしめられると互いの接触面で滑りを生じ、よってシール部品のゴムは円周上一箇所で変形（しわ寄せ）するのを抑えることが可能とされている。したがって、上記従来技術のようにシール部品のゴムが円周上一箇所で変形（しわ寄せ）するのを抑えることができるために、シールリップと軸との間または外周取付部とハウジングとの間に隙間が生じるのを未然に防止することができ、これによりシール性能を向上させることができる。
【００４３】
また、上記構成を備えた本発明の請求項２による密封装置においては、シール部品をハウジングに固定するための固定リングが、環状のピッチ巻きコイルスプリングよりなり径方向のばね性を有し、シール部品と別体で外周取付部の内周側に嵌着され、そのばね性によりシール部品をハウジングに固定するものとされているために、やはり装着作業時に固定リングの径寸法をそのばね性により変化させることが可能とされている。したがって、上記従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００４４】
また、固定リングがシール部品と別体とされるとともに円周上に切欠部を有しないものとされているために、装着時、固定リングおよびシール部品が共に収縮せしめられても、シール部品のゴムは円周上一箇所で変形（しわ寄せ）するのを抑えることが可能とされている。したがって、上記従来技術のようにシール部品のゴムが円周上一箇所で変形（しわ寄せ）するのを抑えることができるために、シールリップと軸との間または外周取付部とハウジングとの間に隙間が生じるのを未然に防止することができ、これによりシール性能を向上させることができる。
【００４５】
また、上記構成を備えた本発明の請求項３による密封装置においては、シール部品をハウジングに固定するための固定リングが、環状のピッチ巻きコイルスプリングよりなり径方向のばね性を有し、外周取付部に埋設され、そのばね性によりシール部品をハウジングに固定するものとされているために、装着作業時に固定リングの径寸法をそのばね性により変化させることが可能とされている。したがって、上記従来技術のようにハンマー等を用いて衝撃荷重を加えながら装着作業を行なう必要がないために、作業労力を軽減させることができ、かつ部品に衝撃荷重による傷や塑性変形が生じるのを未然に防止することができる。
【００４６】
また、固定リングがシール部品の外周取付部に埋設されるものであって円周上に切欠部を有しないものとされているために、装着時、固定リングおよびシール部品が共に収縮せしめられても、シール部品のゴムは円周上一箇所で変形（しわ寄せ）するのを抑えることが可能とされている。したがって、上記従来技術のようにシール部品のゴムが円周上一箇所で変形（しわ寄せ）するのを抑えることができるために、シールリップと軸との間または外周取付部とハウジングとの間に隙間が生じるのを未然に防止することができ、これによりシール性能を向上させることができる。
【図面の簡単な説明】
【図１】本発明の第一実施例に係る密封装置の要部断面図
【図２】同密封装置における固定リングの単品図であって、（Ａ）はその正面図、（Ｂ）はその断面図
【図３】本発明の第二実施例に係る密封装置の要部断面図
【図４】本発明の第三実施例に係る密封装置の要部断面図
【図５】従来例に係る密封装置の要部断面図
【図６】他の従来例に係る密封装置の要部断面図
【図７】他の従来例に係る密封装置の要部断面図
【符号の説明】
１  密封装置
２  シール部品
３  外周取付部
４  シールリップ
５  装着溝
６  固定リング
７  切欠部
８  シールリップ外周部
９  外周シール部
【図１】
2004232689.tif 000003
【図２】
2004232689.tif 000004
【図３】
2004232689.tif 000005
【図４】
2004232689.tif 000006
【図５】
2004232689.tif 000007
【図６】
2004232689.tif 000008
【図７】
2004232689.tif 000009
【手続補正書】
【提出日】平成15年2月7日(2003.2.7)
【手続補正１】
【補正対象書類名】図面
【補正対象項目名】全図
【補正方法】変更
【補正の内容】
【図１】
2004232689.tif 000010
【図２】
2004232689.tif 000011
【図３】
2004232689.tif 000012
【図４】
2004232689.tif 000013
【図５】
2004232689.tif 000014
【図６】
2004232689.tif 000015
【図７】
2004232689.tif 000016